(57)【要約】【課題】隣接波長からの干渉成分を抑圧する。【解決手段】受信端局１４では、光ＷＤＭ分離装置２０が各波長の信号光を分離する。光ＴＤＭ分離装置２２は、４０Ｇｂ／ｓの信号光を１０Ｇ／ｓの４つの信号光に分離し、それぞれを干渉抑圧装置２４ａ〜２４ｄに印加する。干渉抑圧装置２４ａでは、光ＴＤＭ分離装置２２からの信号光が波長分散媒質３０に入力する。波長分散媒質３０の波長に依存する群遅延により、隣接波長からのクロストークによる可干渉成分が光パルスの前縁と後縁に移動する。分波器３２は、波長分散媒質３０の出力光を２分割し、一方をクロック抽出装置３４に、他方を光ゲート装置３６に印加する。装置３４は、分波器３２からの光パルス信号からクロックを抽出し、抽出したクロックで光ゲート装置３６を制御する。光ゲート装置３６は、装置３４からのクロックに従い、分波器３２からの光パルス信号の中央部分を透過する。【選択図】　図１
2004104386.tif 000002
【特許請求の範囲】
【請求項１】
入力光信号から所定波長の光信号を分離する分離装置（２０，２２）と、
当該分離装置（２０，２２）で分離された当該所定波長の光信号が入力する波長分散媒質（３０）と、
当該波長分散媒質（３０）から出力される光信号から所定タイムスロット部分を抽出する光ゲート装置（３４，３６）
とを具備することを特徴とする光信号処理装置。
【請求項２】
当該分離装置が、当該入力光信号から当該所定波長の光信号を抽出する波長分離フィルタ（２０）からなる請求項１に記載の光信号処理装置。
【請求項３】
当該分離装置が、当該入力光信号から当該所定波長を抽出する波長分離フィルタ（２０）と、当該波長分離フィルタ（２０）の出力光信号を低レートにダウンするダウンコンバータ（２２）とを具備する請求項１に記載の光信号処理装置。
【請求項４】
当該光ゲート装置が、当該波長分散媒質（３０）の出力光からクロックを抽出するクロック抽出装置（３４）と、当該クロック抽出装置（３４）により抽出されたクロックに従い、当該波長分散媒質（３０）の出力光の当該所定タイムスロット部分をゲートする光ゲート素子（３６）とからなる請求項１に記載の光信号処理装置。
【請求項５】
当該光ゲート装置が、当該波長分散媒質（３０）の入力光からクロックを抽出するクロック抽出装置と、当該クロック抽出装置により抽出されたクロックに従い、当該波長分散媒質（３０）の出力光の当該所定タイムスロット部分をゲートする光ゲート素子（３６）とからなる請求項１に記載の光信号処理装置。
【請求項６】
当該所定タイムロット部分が、当該波長分散媒質から出力される光信号のパルス中央部分である請求項１に記載の光信号処理装置。
【請求項７】
複数の波長の信号光からなるＷＤＭ光信号から各波長の信号光を分離する波長分離装置（２０）と、
当該波長分離装置（２０）で分離された各波長の信号光について、時間軸上で複数の信号光に分離する時間軸分離装置（２２）と、
当該時間軸分離装置（２２）の各出力光から他波長の干渉成分を抑圧する干渉抑圧装置（２４ａ〜２４ｄ）と、
当該各干渉抑圧装置（２４ａ〜２４ｄ）の出力光により搬送される信号を受信する光受信器（３８ａ〜３８ｄ）
とを具備することを特徴とする光受信装置。
【請求項８】
当該干渉抑圧装置（２４ａ〜２４ｄ）が、波長分散媒質（３０）と、当該波長分散媒質（３０）から出力される光信号から所定タイムスロット部分を抽出する光ゲート装置（３４，３６）とを具備する請求項７に記載の光受信装置。
【請求項９】
当該光ゲート装置が、当該波長分散媒質（３０）の出力光からクロックを抽出するクロック抽出装置（３４）と、当該クロック抽出装置（３４）により抽出されたクロックに従い、当該波長分散媒質（３０）の出力光の当該所定タイムスロット部分をゲートする光ゲート素子（３６）とからなる請求項８に記載の光受信装置。
【請求項１０】
当該光ゲート装置が、当該波長分散媒質（３０）の入力光からクロックを抽出するクロック抽出装置と、当該クロック抽出装置により抽出されたクロックに従い、当該波長分散媒質（３０）の出力光の当該所定タイムスロット部分をゲートする光ゲート素子（３６）とからなる請求項８に記載の光受信装置。
【請求項１１】
当該所定タイムロット部分が、当該波長分散媒質（３０）から出力される光信号のパルス中央部分である請求項８に記載の光受信装置。
【請求項１２】
入力光信号から所定波長の光信号を分離する分離ステップ（２０，２２）と、
当該分離ステップ（２０，２２）で分離された当該所定波長の光信号を波長分散媒質（３０）に入力するステップと、
当該波長分散媒質（３０）から出力される光信号から所定タイムスロット部分を光ゲート装置（３４，３６）によりゲートする光ゲートステップ
とを具備することを特徴とする光信号処理方法。
【請求項１３】
当該分離ステップが、波長分離フィルタ（２０）により、当該入力光信号から当該所定波長の光信号を抽出する請求項１２に記載の光信号処理方法。
【請求項１４】
当該分離ステップが、波長分離フィルタ（２０）により当該入力光信号から当該所定波長を抽出するステップと、当該波長分離フィルタ（２０）の出力光信号を低レートにダウンするステップ（２２）とを具備する請求項１２に記載の光信号処理方法。
【請求項１５】
当該光ゲートステップが、当該波長分散媒質（３０）の出力光からクロックを抽出するステップ（３４）と、抽出されたクロックに従い、当該波長分散媒質（３０）の出力光の当該所定タイムスロット部分をゲートするステップ（３６）とからなる請求項１２に記載の光信号処理方法。
【請求項１６】
当該光ゲートステップが、当該波長分散媒質（３０）の入力光からクロックを抽出するステップと、抽出されたクロックに従い、当該波長分散媒質（３０）の出力光の当該所定タイムスロット部分をゲートするステップ（３６）とからなる請求項１２に記載の光信号処理方法。
【請求項１７】
当該所定タイムロット部分が、当該波長分散媒質から出力される光信号のパルス中央部分である請求項１２に記載の光信号処理方法。
【請求項１８】
複数の波長の信号光からなるＷＤＭ光信号から各波長の信号光を分離する波長分離ステップ（２０）と、
当該波長分離ステップ（２０）で分離された各波長の信号光について、時間軸上で複数の信号光に分離する時間軸分離ステップ（２２）と、
当該時間軸分離ステップ（２２）で分離された各信号光から他波長の干渉成分を抑圧する干渉抑圧ステップ（２４ａ〜２４ｄ）と、
当該各干渉抑圧ステップ（２４ａ〜２４ｄ）により他波長の干渉成分を抑圧された信号光により搬送される信号を受信する光受信ステップ（３８ａ〜３８ｄ）とを具備することを特徴とする光受信方法。
【請求項１９】
当該干渉抑圧ステップ（２４ａ〜２４ｄ）が、当該時間軸分離ステップ（２２）で分離された各信号光を波長分散媒質（３０）に入力するステップと、当該波長分散媒質（３０）から出力される光信号から所定タイムスロット部分を抽出する光ゲートステップ（３４，３６）とを具備する請求項１８に記載の光受信方法。
【請求項２０】
当該光ゲートステップが、当該波長分散媒質（３０）の出力光からクロックを抽出するステップ（３４）と、抽出されたクロックに従い、当該波長分散媒質（３０）の出力光の当該所定タイムスロット部分をゲートするステップ（３６）とからなる請求項１９に記載の光受信方法。
【請求項２１】
当該光ゲートステップが、当該波長分散媒質（３０）の入力光からクロックを抽出するステップと、抽出されたクロックに従い、当該波長分散媒質（３０）の出力光の当該所定タイムスロット部分をゲートするステップ（３６）とからなる請求項１９に記載の光受信方法。
【請求項２２】
当該所定タイムロット部分が、当該波長分散媒質から出力される光信号のパルス中央部分である請求項１９に記載の光受信方法。
【発明の詳細な説明】
【０００１】
【発明の属する技術分野】
本発明は、光信号処理装置、光受信装置及びこれらの方法に関し、より具体的には、波長分割多重（ＷＤＭ）伝送におけるチャネル間の干渉を抑圧可能な光信号処理装置、光受信装置及びこれらの方法に関する。
【０００２】
【従来の技術】
波長分割多重光伝送システムでは、帯域を有効に活用するために高密度に波長を多重する必要がある。しかし、チャネル間の周波数間隔を狭くしていくと、チャネル間の干渉が大きくなり、信号品質を劣化させる。
【０００３】
このような干渉を避ける手段として、隣接チャネルの偏波を互いに直交させる偏波多重方式を併用する構成（例えば、Ｔ．　Ｉｔｏ　ｅｔ　ａｌ．，”６．４Ｔｂ／ｓ　（１６０×４０Ｇｂ／ｓ）　ＷＤＭ　ｔｒａｎｓｍｉｓｓｉｏｎ　ｅｘｐｅｒｉｍｅｎｔ　ｗｉｔｈ　０．８　ｂｉｔ／ｓ／Ｈｚ　ｓｐｅｃｔｒａｌ　ｅｆｆｉｃｉｅｎｃｙ”，２６ｔｈ　Ｅｕｒｏｐｅａｎ　Ｃｏｎｆｅｒｅｎｃｅ　ｏｎ　Ｏｐｔｉｃａｌ　Ｃｏｍｍｕｎｉｃａｔｉｏｎ　（ＥＣＯＣ　２０００），ｐｏｓｔｄｅａｄｌｉｎｅ　ｐａｐｅｒ　１．１）、及び、各チャネルの帯域を狭くして受信器に入力する構成（例えば、Ｓ．　Ｂｉｇｏ　ｅｔ　ａｌ．，”５．１２　Ｔｂｉｔ／ｓ　（１２８×４０　Ｇｂｉｔ／ｓ　ＷＤＭ）　ｔｒａｎｍｉｓｓｉｏｎ　ｏｖｅｒ　３×１００　ｋｍ　ｏｆ　Ｔｅｒａｌｉｇｈｔ　ＴＭ　ｆｉｂｅｒ”，２６ｔｈ　Ｅｕｒｏｐｅａｎ　Ｃｏｎｆｅｒｅｎｃｅｏｎ　Ｏｐｔｉｃａｌ　Ｃｏｍｍｕｎｉｃａｔｉｏｎ　（ＥＣＯＣ　２０００），ｐｏｓｔｄｅａｄｌｉｎｅ　ｐａｐｅｒ　１．２）が、知られている。後者の論文では、隣接チャネル間の干渉を抑制するために、波長配置を不等間隔にすることが記載されている。
【０００４】
光送信信号の帯域を狭くする方式はまた、単一側波帯（ＳＳＢ）伝送又は残留側波帯（ＶＳＢ）伝送として、米国特許第６０８８１４７号公報、米国特許第６１４１１４１号公報（又は特開平１０−２１３８３０号公報）、米国特許第６２６２８３４号公報、及び特開２００１−２６４７１０公報（又は米国公開２００２０７５５４６号公報）に記載されている。
【０００５】
【発明が解決しようとする課題】
偏波多重方式では、受信側で偏波をトラッキングする回路が必要になり、受信装置の構成が複雑になる。また、伝送距離が長くなると、隣接チャネル間の偏波の直交状態が維持されなくなる。即ち、偏波多重方式は、長距離伝送への適用が困難である。
【０００６】
光送信信号の帯域を制限する方式では、帯域を制限しすぎると、信号品質が劣化し、結局、伝送特性を悪化させる。即ち、帯域制限による高密度化にも限界がある。
【０００７】
本発明は、隣接チャネル間の偏波を直交させなくても、チャネル間の干渉を効果的に抑制できる光信号処理装置、光受信装置及びこれらの方法を提示することを目的とする。
【０００８】
【課題を解決するための手段】
本発明に係る光信号処理装置は、入力光信号から所定波長の光信号を分離する分離装置と、当該分離装置で分離された当該所定波長の光信号が入力する波長分散媒質と、当該波長分散媒質から出力される光信号から所定タイムスロット部分を抽出する光ゲート装置とを具備することを特徴とする。
【０００９】
このような構成において、波長分散媒質が、当該分離装置で分離された当該所定波長の光信号に混入する他波長の光成分を時間軸上で前方及び後方に移動させる。光ゲート装置が、当該波長分散媒質から出力される光信号から所定タイムスロット部分、典型的には中央部分を抽出する。これにより、他波長からのクロストークによる可干渉成分を抑圧でき、所定波長の光信号で搬送される信号の受信特性を改善でき、安定化できる。ＷＤＭ伝送で波長間でスペクトルが重なるほどに波長間隔を狭くしても、各信号を良好に受信できるようになる。即ち、波長間隔を狭くできる。
【００１０】
好ましくは、当該分離装置が、当該入力光信号から当該所定波長の光信号を抽出する波長分離フィルタからなる。又は、当該分離装置が、当該入力光信号から当該所定波長を抽出する波長分離フィルタと、当該波長分離フィルタの出力光信号を低レートにダウンするダウンコンバータとを具備する。
【００１１】
好ましくは、当該光ゲート装置が、当該波長分散媒質の出力光からクロックを抽出するクロック抽出装置と、当該クロック抽出装置により抽出されたクロックに従い、当該波長分散媒質の出力光の当該所定タイムスロット部分をゲートする光ゲート素子とからなる。又は、当該光ゲート装置が、当該波長分散媒質の入力光からクロックを抽出するクロック抽出装置と、当該クロック抽出装置により抽出されたクロックに従い、当該波長分散媒質の出力光の当該所定タイムスロット部分をゲートする光ゲート素子とからなる。
【００１２】
本発明に係る光受信装置は、複数の波長の信号光からなるＷＤＭ光信号から各波長の信号光を分離する波長分離装置と、当該波長分離装置で分離された各波長の信号光について、時間軸上で複数の信号光に分離する時間軸分離装置と、当該時間軸分離装置の各出力光から他波長の干渉成分を抑圧する干渉抑圧装置と、当該各干渉抑圧装置の出力光により搬送される信号を受信する光受信器とを具備することを特徴とする。
【００１３】
このような構成により、ＷＤＭ伝送される各波長の信号光を、波長間のクロストークによる干渉を抑圧して受信できるようになる。この結果、波長間でスペクトルが重なるほどに波長間隔を狭くしても、各信号を良好に受信できるようになる。即ち、波長間隔を狭くできる。
【００１４】
好ましくは、当該干渉抑圧装置が、波長分散媒質と、当該波長分散媒質から出力される光信号から所定タイムスロット部分を抽出する光ゲート装置とを具備する。
【００１５】
波長分散媒質が、入力する光信号に混入する他波長の光成分を時間軸上で前方及び後方に移動させる。光ゲート装置が、当該波長分散媒質から出力される光信号から所定タイムスロット部分、典型的には中央部分を抽出する。これにより、他波長からのクロストークによる可干渉成分を抑圧できる。
【００１６】
好ましくは、当該光ゲート装置が、当該波長分散媒質の出力光からクロックを抽出するクロック抽出装置と、当該クロック抽出装置により抽出されたクロックに従い、当該波長分散媒質の出力光の当該所定タイムスロット部分をゲートする光ゲート素子とからなる。又は、当該光ゲート装置が、当該波長分散媒質の入力光からクロックを抽出するクロック抽出装置と、当該クロック抽出装置により抽出されたクロックに従い、当該波長分散媒質の出力光の当該所定タイムスロット部分をゲートする光ゲート素子とからなる。
【００１７】
本発明に係る光信号処理方法は、入力光信号から所定波長の光信号を分離する分離ステップと、当該分離ステップで分離された当該所定波長の光信号を波長分散媒質に入力するステップと、
当該波長分散媒質から出力される光信号から所定タイムスロット部分を光ゲート装置によりゲートする光ゲートステップとを具備することを特徴とする。
【００１８】
本発明に係る光受信方法は、複数の波長の信号光からなるＷＤＭ光信号から各波長の信号光を分離する波長分離ステップと、当該波長分離ステップで分離された各波長の信号光について、時間軸上で複数の信号光に分離する時間軸分離ステップと、当該時間軸分離ステップで分離された各信号光から他波長の干渉成分を抑圧する干渉抑圧ステップと、当該各干渉抑圧ステップにより他波長の干渉成分を抑圧された信号光により搬送される信号を受信する光受信ステップとを具備することを特徴とする。
【００１９】
【実施例】
以下、図面を参照して、本発明の実施例を詳細に説明する。
【００２０】
図１は、４０Ｇｂ／ｓ、ｎ波長のＷＤＭ伝送システムに適用した本発明の一実施例の概略構成ブロック図を示す。
【００２１】
送信端局１０は、それぞれが４０Ｇｂ／ｓのｎ波長（λ１〜λｎ）の信号光からなる波長分割多重信号光（ＷＤＭ信号光）を光ファイバ伝送路１２に出力する。図２は、そのＷＤＭ信号光の光スペクトル例を示す。横軸は波長を示し、縦軸は光強度を示す。そのＷＤＭ信号光は、光ファイバ伝送路１２を伝搬して、受信端局１４に入力する。
【００２２】
受信端局１４では、ＷＤＭ信号光は次のように処理される。即ち、アレイ導波路格子（ＡＷＧ）等の波長分離素子からなる光ＷＤＭ分離装置２０が、各波長λ１〜λｎの信号光を分離する。図３は、光ＷＤＭ分離装置２０における波長λ２のフィルタ特性と波長λ１，λ２，λ３の送信信号の光スペクトルの関係を示す。図３では、波長λ２を分離する光フィルタ特性を波線で示してある。通常、光フィルタ特性は、対象の信号光の光スペクトル成分を抽出するように設定される。図示例では、両サイドバンドを伝送しているので、光フィルタ特性は、光キャリア周波数、上側波帯及び下側波帯を包含する範囲を抽出するように設定される。他の波長のフィルタ特性も、中心波長の相違を除いて、図３に示す特性と同じである。
【００２３】
図３で、斜線を施した部分、具体的には、波長λ２を抽出する光フィルタ特性内に入り込んだ、波長λ１，λ３の光信号の光スペクトル部分が、波長λ２に対するクロストーク、即ち、光学的には可干渉部分となり、波長λ２の信号光に対する雑音光となる。可干渉であるので、この雑音光のレベルは伝送状態により大きく変動する。これが、波長λ２の信号光の受信を困難にする。従来は、図２及び図３に示すほどには、隣接波長間で光スペクトルが重ならないように、波長間隔が設定される。本実施例では、後述するようにこの重なり部分を効果的に抑制できるので、図２及び図３に示すように隣接波長間で重なりがあっても支障ない。
【００２４】
光ＷＤＭ分離装置２０で分離された波長λ１の信号光は、光ＴＤＭ分離装置２２に入力する。光ＴＤＭ分離装置２２は、光ＷＤＭ分離装置２０からの波長λ１の４０Ｇｂ／ｓの信号光を１０Ｇ／ｓの４つの信号光に分離し、それぞれを干渉抑圧装置２４ａ，２４ｂ，２４ｃ，２４ｄに印加する。干渉抑圧装置２４ａ，２４ｂ，２４ｃ，２４ｄは同じ構成からなるので、干渉抑圧装置２４ａの内部構成のみを図示してある。
【００２５】
干渉抑圧装置２４ａでは、光ＴＤＭ分離装置２２からの１０Ｇｂ／ｓの信号光が波長分散媒質３０に入力する。波長分散媒質３０は、入射光のパルス波形をその波長に従って時間軸上で拡張するように作用する。波長分散媒質３０の分散量は、隣接するタイムスロットの光パルスと重ならない程度に大きければ良い。本実施例のように、４０Ｇ／ｓを１０Ｇｂ／ｓにダウンしている場合、波長分散媒質３０の分散量は約１００ｐｓ／ｎｍ程度であればよい。後述するクロック抽出装置３４でのクロック抽出に支障なければ、波長分散媒質３０の分散量は、隣接するタイムスロットの光パルスと重なるほどに大きくても良い。
【００２６】
図４は、波長分散媒質３０の波長分散特性例を示す。波長分散媒質３０は例えば光ファイバからなり、光ファイバの波長分散特性は、一般的には、波長（周波数）に対して放物線状に分散が変化する。横軸は周波数を示し、縦軸は群遅延を示す。群遅延が大きい程、その光は遅れ、群遅延が小さいほど、その光は速く伝搬する。本実施例では、波長（周波数）に対する分散の変化が大きい箇所を使用する。例えば、図５に示すように、ｆ０を波長λ１の光キャリア周波数とし、ｆ２＜ｆ０＜ｆ１であるとし、図４に図示したように、ｆ２，ｆ０，ｆ１の順番で群遅延が大きくなる波長分散媒質を波長分散媒質３０として使用するとする。
【００２７】
図６は、図４に示すような条件の波長分散媒質３０の入力光パルスと出力光パルスの波形模式図を示す。光ファイバ伝送路１２の累積波長分散はゼロ又はほぼゼロに調整されているので、波長分散媒質３０の入力パルスでは、周波数ｆ０，ｆ１，ｆ２の成分が光パルス内で均等に分布している。この光パルスが波長分散媒質３０に入力すると、周波数ｆ０の成分に対し、周波数ｆ２の成分が先に伝搬し、周波数ｆ１の成分が遅れる。従って、図６に出力パルスとして図示したように、光パルスの時間軸上の波形は、全体としては平坦化するものの、時間軸上の光パルスの中央部分に周波数ｆ０の成分があり、先行部分に周波数ｆ２の成分が集まり、後行部分に周波数ｆ１の成分が集まる。これは、隣接波長からのクロストークで干渉する可能性のある部分が、光パルスの前と後に集められることを意味する。つまり、図６に示す出力パルスの先行部分と後行部分の光パワーは、干渉の発生により変動しやすくなるが、中央部分の光パワーは、搬送する信号値に従った状態で安定する。
【００２８】
分波器３２は、波長分散媒質３０の出力光を２分割し、一方をクロック抽出装置３４に、他方を光ゲート装置３６に印加する。クロック抽出装置３４は、分波器３２からの光パルス信号からクロックを抽出し、抽出したクロックで光ゲート装置３６のゲート動作を制御する。光ゲート装置３６は、クロック抽出装置３４からのクロックに従い、分波器３２からの光パルス信号の中央部分、即ち、図６に出力パルスとして図示したパルス波形の周波数ｆ０の部分の２０ｐｓ程度を透過する。これにより、信号を安定的に搬送する、ＳＮＲ（信号対雑音比）の高い部分を抽出できる。光ゲート装置３６の出力光は、干渉抑圧装置２４ａの出力光として光受信装置３８ａに印加される。
【００２９】
光受信装置３８ａは、干渉抑圧装置２４ａの出力光から周知の方法で信号を再生する。干渉抑圧装置２４ａにより他波長との干渉よる不安定部分が抑圧されているので、信号の弁別処理が容易になる。
【００３０】
干渉抑圧装置２４ｂ〜２４ｄは、干渉抑圧装置２４ａと同様に動作する。光受信装置３８ｂ〜３８ｄの動作も、光樹脂装置３８ａの動作と同じである。
【００３１】
このようにして、本実施例では、隣接波長間で光スペクトルが重なり、部分的に干渉する可能性があったとしても、更には、波長分離のフィルタ特性、隣接波長の光スペクトル成分を抽出する程に広くても、干渉抑圧装置２４ａ〜２４ｄにより可干渉部分を抑圧できるので、伝送信号の受信性能を改善できる。換言すると、波長間隔を狭くすることが可能になる。
【００３２】
図１では省略したが、他の波長λ２〜λｎも、波長λ１の処理系と同様の処理系で処理される。
【００３３】
例えば、４２．７Ｇｂ／ｓのキャリア抑圧ＲＺ信号（ＣＳ−ＲＺ信号）を帯域幅３５ＧＨｚに制限した信号光を、４０ＧＨｚ間隔で多重して、光ファイバ伝送路１２に入射した。この場合、光ＷＤＭ分離装置２０における分離光フィルタの半値幅を４５ＧＨｚ，波長分散媒質３０の波長分散を１００ｐｓ／ｎｍ，光ゲート装置３６のゲート幅を２０ｐｓとすることで、良好な受信性能を達成できた。
【００３４】
図１に示す実施例では、クロック抽出装置３４は、波長分散媒質３０の出力光パルスからクロックを抽出したが、光ＴＤＭ分離装置２２の出力光からクロックを抽出して、光ゲート装置を制御するようにしてもよい。その場合のクロック抽出装置は、波長分散媒質３０における時間遅延を考慮した時間だけ遅延して、クロックを光ゲート装置３６に供給しなければならない。クロック抽出が容易になるが、波長毎にクロック抽出装置内での遅延時間を調整する必要がある。
【００３５】
通常、波長分散媒質３０として光ファイバを使用する。その場合、波長分散量及び平均の遅延時間は、周囲温度及び光ファイバ長等により変動しやすい。また、一般的には、波長分散媒質の波長分散量は、隣接するタイムスロットに重なる程に大きくしない。このような状況では、波長分散媒質３０の入力光からクロックを抽出するよりも、図示実施例のクロック抽出装置３４のように波長分散媒質３０の出力光からクロックを抽出する構成の方が、構成と調整が容易になる。
【００３６】
波長分散媒質としてはチャープドファイバグレーティングのように伸縮の少ないものがあり、これを波長分散媒質３０として使用する場合には、波長分散媒質３０の入力光からクロックを抽出しても、問題は少ない。
【００３７】
デューティ比の小さい光パルス信号を扱う場合、ＴＤＭ分離装置２２を省略できる場合がある。
【００３８】
ＲＺ伝送の実施例を説明したが、ＴＤＭ分離装置２２は、本質的にＮＲＺ信号をＲＺ信号に変換する機能を具備する。従って、本発明は、ＮＲＺ伝送の場合にも適用可能である。
【００３９】
【発明の効果】
以上の説明から容易に理解できるように、本発明によれば、隣接チャネルからの可干渉性クロストークを効果的に除去できるので、ＷＤＭ伝送の波長間隔を短くでき、及び／又は、伝送距離を長くすることができる。
【図面の簡単な説明】
【図１】本発明の一実施例の概略構成ブロック図である。
【図２】ＷＤＭ信号の光スペクトル例である。
【図３】波長λ２の信号光を分離する光フィルタ特性の模式図である。
【図４】波長分散媒質３０の群遅延特性を示す図である。
【図５】波長λ１の信号光の光スペクトルの模式図である。
【図６】波長分散媒質３０の入力パルス波形と出力パルス波形の模式図である。
【符号の説明】
１０：送信端局
１２：光ファイバ伝送路
１４：受信端局
２０：光ＷＤＭ分離装置
２２：光ＴＤＭ分離装置
２４ａ，２４ｂ，２４ｃ，２４ｄ：干渉抑圧装置
３０：波長分散媒質
３２：分波器
３４：クロック抽出装置
３６：光ゲート装置
３８ａ，３８ｂ，３８ｃ，３８ｄ：光受信装置
【図１】
2004104386.tif 000003
【図２】
2004104386.tif 000004
【図３】
2004104386.tif 000005
【図４】
2004104386.tif 000006
【図５】
2004104386.tif 000007
【図６】
2004104386.tif 000008